(57)【要約】【課題】プリズムを利用した簡単な構造で、太陽高度の低い条件でも虹模様が抑えられ十分な採光を可能とする採光用プリズムシートを提供する。【解決手段】太陽光をプリズム面側から入射させ、その光路を変更して出射する採光装置に使用される採光用プリズムシートであって、透明基体の片面側に、該透明基板の平面に対して二つの傾斜面をもつプリズム形状部が複数配列されたプリズム列を有し、このプリズム形状部の一方の傾斜面と前記透明基体の平面に対する垂線とがなす片側頂角Ａの角度が８度以上６０度以下の範囲にあり、そのプリズム形状部の他方の傾斜面と前記垂線とがなす片側頂角Ｂの角度が８度以上６０度以下の範囲にあり、前記二つの傾斜面がなす頂角Ｃの角度が１６度以上８９度以下である採光用プリズムシート。【選択図】図２
2010067565.tif 000002
【特許請求の範囲】
【請求項１】
太陽光をプリズム面側から入射させ、その光路を変更して出射する採光装置に使用される採光用プリズムシートであって、
透明基体の片面側に、該透明基体の平面に対して二つの傾斜面をもつプリズム形状部が複数配列されたプリズム列を有し、
前記プリズム形状部の一方の傾斜面と前記透明基体の平面に対する垂線とがなす片側頂角Ａの角度が８度以上６０度以下の範囲にあり、
当該プリズム形状部の他方の傾斜面と前記垂線とがなす片側頂角Ｂの角度が８度以上６０度以下の範囲にあり、
前記二つの傾斜面がなす頂角Ｃの角度が１６度以上８９度以下である採光用プリズムシート。
【請求項２】
前記頂角Ｃの角度が１６度以上７０度以下である、請求項１に記載の採光用プリズムシート。
【請求項３】
前記プリズム列において、頂角Ｃの角度が互いに異なるプリズム形状部が混在している、請求項１又は２に記載の採光用プリズムシート。
【請求項４】
第１の角度の頂角Ｃ−１を持つプリズム形状部からなる第１のプリズム列と、第１の角度と異なる第２の角度の頂角Ｃ−２を持つプリズム形状部からなる第２のプリズム列を有する、請求項１又は２に記載の採光用プリズムシート。
【請求項５】
前記プリズム列が形成された面とは反対側の面に、該反対側の面からの出射光を拡散する拡散材または拡散形状が形成されている、請求項１から４のいずれか一項に記載の採光用プリズムシート。
【請求項６】
前記プリズム形状部の一方の傾斜面から入射し、他方の傾斜面で全反射し、前記プリズム列が形成された面とは反対側の面から出射する光が拡散されるように、該プリズム形状部の少なくとも一方の傾斜面が曲面となっている、請求項１から５のいずれか一項に記載の採光用プリズムシート。
【請求項７】
太陽光を入射させ、その光路を変更して出射する採光装置であって、請求項１から７のいずれか一項に記載の採光用プリズムシートを具備する採光装置。
【請求項８】
前記採光用プリズムシートの平面が、水平面に対して傾斜して配置される、請求項７に記載の採光装置。
【発明の詳細な説明】
【技術分野】
【０００１】
本発明は、採光用プリズムシート、及び建造物等の遮蔽物により太陽光が遮られ日陰となる部分に対して、虹模様なく照射できる採光装置に関する。
【背景技術】
【０００２】
従来、太陽光の採光装置は、季節や時間による太陽の方位や高度の変化に合わせて太陽光を追尾するシステムを備えるものが多く提案されている。
【０００３】
また、特許文献１には、フレネルレンズを利用した屋上用全天光集光系が提案されている。この集光系は、光の角度を大きく変えるために、フレネルレンズを対称に２枚以上組み合わせた構造を有している。
【０００４】
特許文献２には、建物の中庭などに採光することを目的として、建物の屋根の上に、角度・設置方向を調節可能としたプリズムシートで構成されたプリズムパネルを設けた採光装置が提案されている。
【０００５】
特許文献３には、プリズムを利用した採光装置では屈折を利用し光を大きく曲げると虹模様（色分かれ）が発生する問題が記載され、この問題を解消するために反射鏡とプリズムシートが組み合わされた採光装置が提案されている。
【特許文献１】特開平３−５６７１号公報
【特許文献２】特開２００５−２６００４号公報
【特許文献３】特開平６−２７３６８９号公報
【発明の開示】
【発明が解決しようとする課題】
【０００６】
太陽光を追尾するための制御装置を搭載した採光装置は、構造が複雑でコストが高くなったり、故障が発生しやすかったりする等の問題があった。
【０００７】
フレネルレンズを利用した屋上用全天光集光系は、フレネルレンズが２枚以上必要であるため、コスト的に不利である上、フレネルレンズが対称となるように位置合わせをする必要があり、取り扱いが煩雑になる。
【０００８】
プリズムを利用した採光装置は、太陽高度の低い条件では、プリズムシートの角度・設置方向の調整だけでは、太陽光を遮蔽する建造物近傍を照射することは困難である。また、プリズムの屈折のみを利用して太陽光の角度を大きく曲げようとすると虹模様（色分かれ）が発生する。
【０００９】
反射鏡とプリズムシートが組み合わされた採光装置は、プリズムシートの他に反射鏡が必要であり、さらに太陽光にあわせた回転駆動装置が必要であるため構造が複雑である。
【００１０】
本発明の目的は、プリズムを利用した簡単な構造で、太陽高度の低い条件でも虹模様が抑えられ十分な採光が可能な採光装置、及びこの採光装置に用いられるプリズムシートを提供することにある。
【課題を解決するための手段】
【００１１】
本発明は、太陽光をプリズム面側から入射させ、その光路を変更して出射する採光装置に使用される採光用プリズムシートであって、
透明基体の片面側に、該透明基体の平面に対して二つの傾斜面をもつプリズム形状部が複数配列されたプリズム列を有し、
前記プリズム形状部の一方の傾斜面と前記透明基体の平面に対する垂線とがなす片側頂角Ａの角度が８度以上６０度以下の範囲にあり、
当該プリズム形状部の他方の傾斜面と前記垂線とがなす片側頂角Ｂの角度が８度以上６０度以下の範囲にあり、
前記二つの傾斜面がなす頂角Ｃの角度が１６度以上８９度以下である採光用プリズムシートである。
【００１２】
前記頂角Ｃの角度が１６度以上７０度以下である前記採光用プリズムシートであることが好ましい。
【００１３】
前記プリズム列において、頂角Ｃの角度が互いに異なるプリズム形状部が混在している前記採光用プリズムシートであることが好ましい。
【００１４】
第１の角度の頂角Ｃ−１を持つプリズム形状部からなる第１のプリズム列と、第１の角度と異なる第２の角度の頂角Ｃ−２を持つプリズム形状部からなる第２のプリズム列を有する前記採光用プリズムシートであることが好ましい。
【００１５】
前記プリズム列が形成された面とは反対側の面に、該反対側の面からの出射光を拡散する拡散材または拡散形状が形成されている前記採光用プリズムシートであることが好ましい。
【００１６】
前記プリズム形状部の一方の傾斜面から入射し、他方の傾斜面で全反射し、前記プリズム列が形成された面とは反対側の面から出射する光が拡散されるように、該プリズム形状部の少なくとも一方の傾斜面が曲面となっている前記採光用プリズムシートであることが好ましい。
【００１７】
また本発明は、太陽光を入射させ、その光路を変更して出射する採光装置であって、前記採光用プリズムシートを具備する採光装置である。
【００１８】
前記採光用プリズムシートの平面が、水平面に対して傾斜して配置される前記採光装置であることが好ましい。
【発明の効果】
【００１９】
本発明によれば、構造を簡単にできるため、故障の発生が少なく、低コストで採光ができる。また、太陽高度の低い条件でも虹模様の目立たない十分な採光が可能となる。
【発明を実施するための最良の形態】
【００２０】
本発明による採光用プリズムシートは、太陽光をプリズム面側から入射させ、その光路を変更して出射する採光装置に使用される採光用プリズムシートであって、透明基体の片面側に、該透明基体の平面に対して二つの傾斜面をもつプリズム形状部が複数配列されたプリズム列を有し、前記プリズム形状部の一方の傾斜面と前記透明基体の平面に対する垂線とがなす片側頂角Ａの角度が８度以上６０度以下の範囲にあり、当該プリズム形状部の他方の傾斜面と前記垂線とがなす片側頂角Ｂの角度が８度以上６０度以下の範囲にあり、前記二つの傾斜面がなす頂角Ｃの角度が１６度以上８９度以下の範囲にある。
【００２１】
なお、前記プリズム形状部の各傾斜面と前記透明基体の平面に対する垂線とがなす角はともに鋭角である。また前記プリズム形状部の各傾斜面と前記透明基体の平面とがなす二つの相対する角はともに９０度以下である。
【００２２】
また本発明による採光装置は、太陽光を入射させ、その光路を変更して出射する採光装置であって、前記採光用プリズムシートを具備する採光装置である。
【００２３】
採光用プリズムシートが、そのプリズム列が形成された面を上方に向けて設けられ、前記プリズム形状部の一方の傾斜面から入射した太陽光が、他方の傾斜面で全反射し、前記採光用プリズムシートの前記プリズム列が形成された面とは反対側の面から出射するように、且つこの出射光が、太陽光を遮蔽する遮蔽物により日陰となる部分へ照射されるように、該遮蔽物の頂上部に設置して使用される、採光装置であることが好ましい。
【００２４】
また前記採光用プリズムシートの平面が、水平面に対して傾斜して配置される、前記採光装置であることが好ましい。
【００２５】
本発明による採光装置の一実施形態の概略構造を図１に示す。太陽３から発する光が建造物２に遮られて日陰５が形成される。採光装置１をその建造物２の屋上に設置することで、太陽からの光線４の進路が大きく曲げられ、建造物２による日陰５に光の照射範囲６を形成することができる。
【００２６】
太陽３の高度が比較的低い条件において、日陰５における建造物２の近傍部分に光を照射するためには、太陽光線４の進路を大きく変化させる必要がある。
【００２７】
本発明では、例えば図２に示すように光の屈折と全反射が利用可能になるプリズムの頂角Ｃを１６度以上８９度以下に規定し、プリズムシートの設置角度７−６を調節することで、１枚のプリズムシートで光の進路を大きく変化させることができ、且つ虹模様を目立ちにくくすることができる。
【００２８】
また、太陽光を追尾する構造を有しなくても十分な採光が可能であるため、複雑な構造を必要とせず、安価で故障しにくい採光装置が得られる。太陽光を追尾する構造を有しないと、光の照射位置は太陽方位によって東西方向の移動が発生するが、建造物による日陰部分も同様に移動するため、日陰部分の照射は可能である。
【００２９】
比較的太陽高度の低い条件において日陰の建造物の近い部分を照射するためには、光線の曲がり角を大きくする必要がある。例えば図２に示すようにプリズム列が設けられた透明基体の面（以下「プリズム面」）を上に向けプリズム面側から太陽光を入射させ全反射を利用することにより、効率よく光を曲げることができる。その際、全反射を利用して地面の日陰を十分に照射する観点から、プリズムの片側頂角Ａ、Ｂの角度はそれぞれ８度以上６０度以下で且つ頂角Ｃの角度（頂角Ａと頂角Ｂの合計角度）が１６度以上８９度以下である。片側頂角Ａ、Ｂの角度がそれぞれ４５度以下であることが好ましい。また頂角Ｃの角度が７０度以下であることが好ましい。例えば、片側頂角Ａ、Ｂの角度はそれぞれ４０度以下に設定でき、さらに３５度以下に設定できる。また頂角Ｃの角度は６０度以下に設定でき、さらに５５度以下に設定できる。一方、頂角Ｃの角度が小さすぎると、プリズムの加工に使用する金型の製作及びプリズムの成形が難しくなったり、プリズム使用中に破損しやすくなったりするため、及び十分な採光を可能にするため、頂角Ｃの角度は３０度以上が好ましく、４０度以上がより好ましい。また、片側頂角Ａ、Ｂの角度は、小さくなるほどプリズムの金型からの離型が困難になるため、及び十分な採光を可能にするため、１０度以上が好ましい。
【００３０】
ここで、プリズムの片側頂角Ａ、Ｂとは、プリズムシート基体平面（図２では符号７−５に相当）に対する垂線とプリズム傾斜面（図２では符号７−１と７−２に相当）とのなす鋭角である。図２において、プリズムの片側頂角Ａ、Ｂは、符号７−３、符号７−４で示される。プリズムの頂角Ｃとは、いわゆるプリズムの頂角を意味し、二つのプリズム傾斜面がなす角である。図２においては、プリズム傾斜面７−１とプリズム傾斜面７−２がなす角であり、頂角Ａと頂角Ｂから構成される。
【００３１】
プリズム列のピッチ（頂角Ｃの頂点間ピッチ）については、ピッチが大きすぎると、プリズムの高さが大きくなり、透明材の重量も増す不都合が生じる。逆にピッチが小さくなりすぎると光の波長のサイズに近づくため、光の波長依存性が無視できなくなる。これらの観点から、プリズム列のピッチの下限側は、１μｍ以上が好ましく、１０μｍ以上がより好ましく、５０μｍ以上がさらに好ましく、上限側は、１００ｍｍ以下が好ましく、１０ｍｍ以下がより好ましく、５ｍｍ以下がさらに好ましい。
【００３２】
プリズム列の形状は、プリズム形状部の稜線（二つのプリズム傾斜面の交線）に垂直な断面において、図３に示すような連続した列状でも、または図４−１、図４−２、図４−３に示すような間欠タイプでもよいが、間欠タイプの場合、プリズム傾斜面同士の間隔が大きいと効率が落ちるため、適度な間隔に設定することが好ましい。このような観点から、プリズム列の形成領域におけるプリズム傾斜面が占める領域以外の領域（プリズム形状部内のプリズム傾斜面間およびプリズム形状部間の平坦部）の面積（透明基体平面上への投影面積）は、２０％以下であることが好ましく、１０％以下であることがより好ましく、５％以下であることがさらに好ましい。プリズム列の形成領域におけるプリズム傾斜面が占める領域の面積（プリズム傾斜面の透明基体平面上への投影面積）は、８０％以上であることが好ましく、９０％以上であることがより好ましく、９５％以上であることがさらに好ましい。
【００３３】
プリズムシートの形成は、透明な板、シートまたはフィルム等の透明基体の表面に熱プレス、押出成形、射出成形などによりプリズム形状を形成することができる。透明な材料としては、ポリメチルメタクリレート（ＰＭＭＡ）、ポリカーボネート（ＰＣ）、ポリエチレンテレフタレート（ＰＥＴ）、ポリスチレン（ＰＳ）などを用いることができる。これら透明材料の屈折率としては、１．４〜１．７の範囲が好ましい。屈折率の測定は、例えばＪＩＳ  Ｋ７１０５に準じた方法で行うことができる。
【００３４】
フィルムなど厚みの薄いものにプリズム形状を形成し、透明な板に貼ったり、２枚の透明な板で挟んだりしてもよい。
【００３５】
プリズム列の形状は、例えば図５−１に示すように、頂角の異なる２種類以上のプリズムを混在して形成すると、広範囲な太陽高度に対して採光することが可能となる。頂角の異なるプリズムは同じ頂角のプリズムをまとめてグループ毎に配置してもよいし、交互に繰り返し配置してもよい。例えば第１の角度の頂角Ｃ−１を持つプリズム形状部からなる第１のプリズム列と、第１の角度と異なる第２の角度の頂角Ｃ−２を持つプリズム形状部からなる第２のプリズム列を有するプリズムシートを用いることが好ましい。頂角の差が大きい２種類のプリズムを１列ずつ交互に配置する場合には、図５−２に示すように高さが交互に異なる形状とすると、隣のプリズムの影となる部分が生じることがあるが、この影となる部分の発生が問題となるときは、図５−３に示すようにピッチを調整して各プリズムを同じ高さにした形状とするとよい。
【００３６】
本発明によれば、プリズムを利用して直射の太陽光をほぼ平行光のまま採光し、明るく日陰部分を照射することができるが、採光する場所によっては明暗のコントラストを低減させた光が望まれることがある。そのような場合には、プリズムシートのプリズム列が形成された面とは反対側の面にマット加工やシボ加工等により拡散材や拡散形状を付与したり（例えば図６−１）、各プリズム部の少なくとも片側の傾斜面をわずかに曲面としたりする（例えば図６−２）ことで出射光を拡散させることができる。このように出射光を適度に拡散させることで、明暗のコントラストを目立たなくさせ、平行光の場合より広い面積を照射することができる。傾斜面を曲面にする場合は、図６−２に示すように、入射光を全反射させる側の傾斜面を曲面にすることが好ましく、その曲面はプリズム外側へ向けて凸となる曲面であることが好ましい。なお、前記傾斜面が曲面の場合、プリズム形状部の稜線と、該傾斜面と透明基体平面との交線とを結んでできる平面を基にして片側頂角を算出することとする。
【００３７】
太陽光は波長分布が広く、プリズムを利用し大きく屈折させようとすると、透明材の屈折率に波長依存性があるため、波長によって出射光の角度が変わる影響が無視できなくなる。屋外用途では照射面が出射面から離れているケースが考えられるため、照射面が離れるほど波長による照射位置のずれが大きくなることから、虹模様が目立ちやすくなる。
【００３８】
（出射角及び照射位置の算出例）
片側頂角（７−３、７−４）の角度：２５度の対称プリズム形状を表面に形成したプリズムシートを、設置傾斜角（後述）の角度：１６度、太陽高度：１８度の条件で、プリズム面を上に向けた場合、下に向けた場合についてスネルの法則を用いて出射角の計算を行った（図２及び図７参照）。空気の屈折率を波長によらず１とし、ＰＭＭＡの屈折率を波長４００ｎｍの時１．５１、波長７００ｎｍの時１．４９として、それぞれの波長について、空気からＰＭＭＡ、ＰＭＭＡから空気へ光の屈折と全反射の角度を求めた。プリズム面を上に向けてプリズムシートを設置した場合には、反入射側プリズム傾斜面への入射角（７−７）は屈折率１．５１のとき５５．９５度、屈折率１．４９のとき５６．０３度となり、それぞれの臨界角（屈折率１．５１のとき４１．４７度、屈折率１．４９のとき４２．１６度）を超えるので全反射が生じる。同じ設置傾斜角でプリズム面を下に向けた場合には、全反射は起こらない。下記スネルの法則（式１）に基づく計算によって、屈折率４００ｎｍ並びに７００ｎｍでの出射角θ（１０）を求め、１０ｍ離れた面の照射位置Ｄ（１２）を算出した。結果を表１にまとめた。
【００３９】
ここで前記照射位置Ｄとは、例えば高さ１０ｍの建物の場合、その屋上に採光装置を設置した時の出射光が地面を照射する範囲の内で、建物との距離が最短となる照射端部の位置のことである。
【００４０】
スネルの法則：ｎ１×ｓｉｎθ1＝ｎ２×ｓｉｎθ2              （式１）
ｎ１：入射側の屈折率、θ1：入射角
ｎ２：出射側の屈折率、θ2：出射角
１０ｍ離れた面の照射位置Ｄ（ｍ）＝１０（ｍ）×ｔａｎθ      （式２）
θ：出射角
【００４１】
【表１】
2010067565.tif 000003
【００４２】
この結果から、プリズムから１０ｍ離れた面上では、波長４００ｎｍと７００ｎｍの光は、それぞれプリズム面が上を向いている場合０．０６ｍ、下を向いている場合０．４６ｍのずれを生じることがわかり、プリズム面を上に向けて全反射を利用した方が虹模様が目立ちにくいことが説明できる。
【００４３】
プリズムシートを図１に示すように建物屋上に設置する際、プリズムシートの平面と水平面がなす角度を設置傾斜角（以降、「設置角」ということがある。）とする（図２の符号７−６に相当）。設置傾斜角が大きいと、建造物近傍を照射する条件では、照射面積が小さくなる。照射位置が建造物近傍では、設置傾斜角をαとすると、照射面積はパネル面積のｃｏｓα倍となり、設置傾斜角６０度を越えると照射面積は１／２以下となるため、設置傾斜角は６０度以下が好ましい。
【００４４】
プリズム面を上に向けて設置する場合には、設置傾斜角が小さい方が全反射する光の割合が高くなるが、屋外の設置を考え設置傾斜角は５度以上が好ましい。設置傾斜角度は出射光の角度に影響を及ぼす要因であるため、プリズムの頂角によって適切な設置角を決め、ずれのないよう金具などでパネルを固定することができる。設置場所の条件に応じて、設置角を調整可能な構造としてもよい。
【００４５】
プリズム面を上に向けてプリズムシートを屋外に配置すると、溝部分に汚れや雨水が残る可能性がある。プリズム列の上側に空気層を挟んで透明な平板を配置することが好ましい。
【実施例】
【００４６】
（実施例１）
（プリズムシートの作製）
厚さ５ｍｍの透明なＰＭＭＡの板にプリズム列の形状を、切削加工して作製した金型を用いた熱プレスにより形成してプリズムシートを得た。プリズム列の形状は、太陽光の入射面側の頂角Ａ（７−３）が２５度、反対面側の頂角Ｂ（７−４）が２５度であるプリズムをピッチ２００μｍで透明板の片面に形成した。表中の頂角Ｃは二つのプリズム傾斜面のなす角であり、その角度は５０度である。
【００４７】
（採光装置の作製）
図１に示すように、得られたプリズムシートを、高さ約１０ｍの建物の屋上の端部に、設置傾斜角：１６度で、プリズム面が上を向くように設置し、太陽光をプリズム面側から入射させる採光装置とした。太陽高度：約１８度の条件で、プリズムの稜線に垂直な方向が太陽方位とほぼ同じになるようにした。プリズムシートから出射した光が地面を照射した位置Ｄを、建物を基準に測定した。虹模様については照射位置を目視で評価した。結果を表２に示す。
【００４８】
（比較例１）
実施例１と同様にして形成したプリズムシートを、プリズム面が下を向くよう設置し、太陽光をプリズム面の反対側から入射させた以外は、実施例１と同様にして測定、評価を行った。結果を表２に示す。
【００４９】
【表２】
2010067565.tif 000004
【００５０】
（実施例２）
頂角Ａ（７−３）、頂角Ｂ（７−４）がともに２５度のプリズム形状を持つＰＭＭＡからなるプリズムシートを、高さ１０ｍの位置にプリズム面を上向きとなるように設置角（７−６）：１０度で取り付けたと想定し、照射位置（１２）を計算により求めた。図８に測定時の状態を示し、測定結果を表３にまとめた。
【００５１】
照射位置０ｍはプリズムシートから垂直に照射面を照射している場合を示し、＋側は太陽と反対方向（図１における建物から離れる方向）を示す。ＰＭＭＡの屈折率は１．４９とし、太陽高度は、東京の冬至の太陽の南中した時の高度が約３１度であることを参考に、２０度、３０度、３５度の条件とした。
【００５２】
（実施例３）
頂角Ａ（７−３）が１５度、頂角Ｂ（７−４）が２５度であるプリズムと、頂角Ａ（７−３）が２５度、頂角Ｂ（７−４）が２８度であるプリズムを組み合わせたＰＭＭＡからなるプリズムシートを用いた以外は、実施例２と同様に照射位置（１２）を計算により求めた。図９に測定時の状態を示し、測定結果を表３にまとめた。プリズムを２種類用いているので照射位置（１２）は２箇所となる。
【００５３】
（実施例４）
頂角Ａ（７−３）が２０度、頂角Ｂ（７−４）が２５度であるプリズム列が設置角（７−６）：１５度で配置された部分と、頂角Ａが２０度、頂角Ｂが２５度であるプリズム列が設置角：８度で配置された部分とが組み合わされたプリズムシートを設置したとし、実施例２と同様に照射位置を計算により求めた。測定結果を表３にまとめた。
【００５４】
（比較例２）
実施例２と同じプリズムシートを下向きに配置し、設置角を１５度にした以外は、実施例２と同様に照射位置を計算により求めた。図１１に測定時の状態を示し、測定結果を表３にまとめた。いずれの太陽高度においてもプリズムの屈折のみの出射光であり、虹模様が発生する。
【００５５】
【表３】
2010067565.tif 000005
【００５６】
（比較例３）
頂角Ａ（７−３）が４５度、頂角Ｂ（７−４）が４５度のプリズム形状（頂角Ｃは９０度）を持つＰＭＭＡからなるプリズムシートについて、太陽高度が３０度の場合に、プリズム面を上に向けて設置して、設置角（７−６）を１０度から６０度の範囲で変更して光の角度を計算した。いずれの設置角でもプリズム傾斜面での全反射は起こらない。設置角が５０度以上では屈折のみの光が地面に向かって出射するが、照射位置は、設置角５０度、建物高さ１０ｍの条件で建物より約６ｍ離れた位置であり、建物近くを虹模様なしで照射することはできない（図１２参照）。
【００５７】
（比較例４）
設置角を変更した以外は比較例１と同様に測定、評価を行った。一部の光がプリズム傾斜面で全反射するが、地面の方向へは出射せず、設置角５０度の条件で屈折のみの光が建物より約５ｍ離れた位置を照射するが、建物近くを虹模様なしで照射することはできない（図１３参照）。
【００５８】
（比較例５）
頂角Ａ（７−３）が６５度、頂角Ｂ（７−４）が１８度であるプリズム形状を持つＰＭＭＡからなるプリズムシートを、プリズム面を上に向け、設置角（７−６）を１０度で設置したとして計算により光の角度を求めた。太陽高度３０度の条件で一部の光が全反射により地面を照射するが、残りの光はほぼ水平方向へ出射する。地面に向かう光の割合は１／３程度と効率が低下する（図１４参照）。
【図面の簡単な説明】
【００５９】
【図１】本発明による一実施形態の採光装置の概略構造を説明する図。
【図２】本発明による実施形態における光線利用の概要を説明する図。
【図３】プリズム形状（連続タイプ）を説明する図。
【図４−１】プリズム形状（間欠タイプ）を説明する図。
【図４−２】プリズム形状（間欠タイプ）を説明する図。
【図４−３】プリズム形状（間欠タイプ）を説明する図。
【図５−１】プリズム形状（２種類以上のプリズム配置タイプ）を説明する図。
【図５−２】プリズム形状（２種類以上のプリズム配置タイプ）を説明する図。
【図５−３】プリズム形状（２種類以上のプリズム配置タイプ）を説明する図。
【図６−１】マット又はシボ形状を付与したプリズムシートを説明する図。
【図６−２】プリズム傾斜面を曲面としたプリズムシートを説明する図。
【図７】光線の出射角と照射位置を説明する図。
【図８】実施例２の説明図。
【図９】実施例３の説明図。
【図１０】実施例４の説明図。
【図１１】比較例２の説明図。
【図１２】比較例３の説明図。
【図１３】比較例４の説明図。
【図１４】比較例５の説明図。
【符号の説明】
【００６０】
１  採光装置
２  建造物
３  太陽
４  光線
５  建造物による日陰
６  採光装置による照射範囲
７−１  入射側プリズム傾斜面
７−２  反入射側プリズム傾斜面
７−３  頂角Ａ
７−４  頂角Ｂ
７−５  出射面
７−６  設置傾斜角（設置角）
７−７  反入射側プリズム傾斜面への入射角
８  水平面
９  垂直面
１０  出射角
１１  垂直面（垂直高さ）
１２  照射位置
１３  マット形成面
１４  曲面
【図１】
2010067565.tif 000006
【図２】
2010067565.tif 000007
【図３】
2010067565.tif 000008
【図４−１】
2010067565.tif 000009
【図４−２】
2010067565.tif 000010
【図４−３】
2010067565.tif 000011
【図５−１】
2010067565.tif 000012
【図５−２】
2010067565.tif 000013
【図５−３】
2010067565.tif 000014
【図６−１】
2010067565.tif 000015
【図６−２】
2010067565.tif 000016
【図７】
2010067565.tif 000017
【図８】
2010067565.tif 000018
【図９】
2010067565.tif 000019
【図１０】
2010067565.tif 000020
【図１１】
2010067565.tif 000021
【図１２】
2010067565.tif 000022
【図１３】
2010067565.tif 000023
【図１４】
2010067565.tif 000024